(57)【要約】      （修正有）【課題】ディスプレイを見ながらビデオチャットしている双方で視線のずれが生じないように、画像処理技術を用いて中間視点画像を生成するための材料となる２つの画像を提供するための２台のカメラを搭載したディスプレイの開発。【解決手段】２台のカメラをディスプレイの縁の上下あるいは両脇もしくは対角の位置でディスプレイの中心から見て点対称になる位置に搭載することで、ビューモーフィング技術を用いて中間視点画像を生成するための材料となる２つの画像を提供し、生成された画像は実際にはカメラの存在しないディスプレイの中心から撮影されているかのような画像になり、ビデオチャットのときにはお互いがその生成された中間視点画像を見ることで双方が正面から撮影されているかのような画像になり、お互いの視線のずれが減り、より自然にビデオチャットすることができるディスプレイとカメラの構成。【選択図】図１
0003134146.tif 000002
【実用新案登録請求の範囲】
【請求項１】
２台のカメラをディスプレイの縁の上下あるいは両脇もしくは対角の位置でディスプレイの中心から見て点対称になる位置に搭載するディスプレイで、搭載されたカメラからビューモーフィング技術を用いて中間視点画像を生成するための材料となる２つの画像を提供し、生成された画像は実際にはカメラの存在しないディスプレイの中心から撮影されているかのような中間視点画像になり、ビデオチャットのときにはお互いがその生成された中間視点画像を自分側の画像として相手側に送ることでディスプレイ上の相手の画像を見ているときに双方が正面から撮影されているかのような画像になり、お互いの視線のずれが減り、より自然にビデオチャットすることができることを特徴とするディスプレイ。
【請求項２】
２台のカメラをディスプレイの縁の上下あるいは両脇もしくは対角の位置でディスプレイの中心から見て点対称になる位置に搭載することを特徴とするディスプレイとカメラの組み合わせで、搭載されたカメラからビューモーフィング技術を用いて中間視点画像を生成するための材料となる２つの画像を提供し、生成された画像は実際にはカメラの存在しないディスプレイの中心から撮影されているかのような中間視点画像になり、ビデオチャットのときにはお互いがその生成された中間視点画像を自分側の画像として相手側に送ることでディスプレイ上の相手の画像を見ているときに双方が正面から撮影されているかのような画像になり、お互いの視線のずれが減り、より自然にビデオチャットすることができることを特徴とする。
【考案の詳細な説明】
【技術分野】
【０００１】    本考案は、２台のカメラを搭載した各種ディスプレイに関するものである。
【背景技術】
【０００２】  パーソナルコンピューター（以下ＰＣ）とカメラを使った簡易型テレビ電話（以下ビデオチャット）が複数のＰＣ間でインターネットを通して利用されている。この際に自分の視線はビデオチャットの相手が映し出されているディスプレイに向かっているが自分の顔はディスプレイの上部もしくは下部あるいは左右どちらかに設置もしくは搭載されたカメラで撮影されているのでカメラを正面から見ている姿ではないためビデオチャットしている双方で視線のずれが生じ違和感があった。ディスプレイの縁にカメラが内蔵搭載されたノート型ＰＣの場合でも同様の不便さがあった。【０００３】  現実的にカメラをディスプレイの中心に搭載することはできず、またカメラをディスプレイの中心に近づけるためにディスプレイの表面上にぶら下げるようにカメラの位置を固定する方法があるが、ディスプレイの一部を隠してしまうために使いづらく視線のずれは完全には克服できてなかった。【０００４】  既存のビューモーフィング画像処理技術を用いて２つ画像から中間画像を生成することができる。この画像処理技術を用いることで２台のカメラで撮影された２つの画像から実際には存在しないディスプレイの中心のカメラから撮影したような中間視点画像を作り出すことができる。【０００５】  しかしこれらの画像処理技術に対応する２台のカメラを搭載したディスプレイは開発されていなかった。
【考案の開示】
【考案が解決しようとする課題】
【０００６】  解決しようとする問題点は、ディスプレイを見ながらビデオチャットしている双方で視線のずれが生じている点であり、画像処理技術を用いて中間視点画像を生成するための材料となる２つの画像を提供するための２台のカメラを搭載したディスプレイが開発されていなかった点である。
【課題を解決するための手段】
【０００７】  各種ディスプレイの縁の上下あるいは両脇もしくは対角の位置でディスプレイの中心から見て点対称になる位置に２台のカメラを搭載することで、ビューモーフィング画像処理技術を用いて中間視点画像を生成するための材料となる２つの画像を提供することを最も主要な特徴とする。
【考案の効果】
【０００８】  視線がディスプレイに向かっているときにディスプレイの縁に搭載された２台のカメラからそれぞれ撮影されている画像をもとにビューモーフィング画像処理技術を用いて１つの中間視点画像が生成される。生成された中間視点画像は実際にはカメラの存在しないディスプレイの中心から撮影されているかのような画像になる。ビデオチャットのときにはこの生成された中間視点画像を自分側の画像として相手側に送ることができる。【０００９】  この方法を用いることでビデオチャトしているときにお互いのディスプレイ上の相手の画像は双方が正面から撮影されているかのような画像になり、お互いの視線のずれが減りより自然にビデオチャットすることができる。【００１０】  ２台のカメラ位置がディスプレイの中心から対称になる位置の縁に設置されることで、ビューモーフィング画像処理技術を用いて中間視点画像を生成する処理が高速化することができる。【００１１】  また自分側で生成された中間視点画像を自分側のディスプレイでモニタすることで左右逆転しない自分で自分を見つめているような姿を表示することができる。
【考案を実施するための最良の形態】
【００１２】  各種ディスプレイの縁の上下あるいは両脇もしくは対角の位置でディスプレイの中心から見て点対称になる位置に２台のカメラを搭載することで、ビューモーフィング画像処理技術を用いて中間視点画像を生成するための材料となる２つの画像を提供することを実現する。
【実施例】
【００１３】図１は、本考案の１実施例であってノート型ＰＣのディスプレイの中心から見て点対称になる位置の上下の縁に２台のカメラを搭載した実施例である。
【産業上の利用可能性】
【００１４】  本考案は、デスクトップ型のＰＣ用のディスプレイ、ノート型ＰＣのディスプレイ、各種大型テレビ画面、ビデオチャットを行う環境にある各種ディスプレイに適用できる。
【図面の簡単な説明】
【００１５】
【図１】  本考案の実施方法を示した説明図でノート型ＰＣの正面図である。
【符号の説明】
【００１６】１  カメラ
２  ディスプレイ
３  ノート型ＰＣ本体
【図１】
0003134146.tif 000003
【手続補正書】
【提出日】平成19年4月25日(2007.4.25)
【手続補正１】
【補正対象書類名】実用新案登録請求の範囲
【補正対象項目名】全文
【補正方法】変更
【補正の内容】
【実用新案登録請求の範囲】
【請求項１】
２台のカメラをディスプレイの縁の上下あるいは両脇もしくは対角の位置でディスプレイの中心から見て点対称になる位置に搭載するディスプレイで、搭載されたカメラからビューモーフィング技術を用いて中間視点画像を生成するための材料となる２つの画像を提供し、生成された画像は実際にはカメラの存在しないディスプレイの中心から撮影されているかのような中間視点画像になり、ビデオチャットのときにはお互いがその生成された中間視点画像を自分側の画像として相手側に送ることでディスプレイ上の相手の画像を見ているときに双方が正面から撮影されているかのような画像になり、お互いの視線のずれが減り、より自然にビデオチャットすることができることを特徴とするディスプレイ。
【請求項２】
２台のカメラをディスプレイの縁の上下あるいは両脇もしくは対角の位置でディスプレイの中心から見て点対称になる位置に搭載することを特徴とするディスプレイとカメラの組み合わせで、搭載されたカメラからビューモーフィング技術を用いて中間視点画像を生成するための材料となる２つの画像を提供し、生成された画像は実際にはカメラの存在しないディスプレイの中心から撮影されているかのような中間視点画像になり、ビデオチャットのときにはお互いがその生成された中間視点画像を自分側の画像として相手側に送ることでディスプレイ上の相手の画像を見ているときに双方が正面から撮影されているかのような画像になり、お互いの視線のずれが減り、より自然にビデオチャットすることができることを特徴とするディスプレイとカメラの組み合わせ。